(57)【特許請求の範囲】
【請求項１】
冷媒を圧縮手段により圧縮し、さらに凝縮、膨張を順次行った後、複数の庫内熱交換手段に流入させて蒸発させることにより冷却を行わせ、前記圧縮手段に戻す冷却経路と、
冷媒を、前記圧縮手段により圧縮して所定の前記庫内熱交換手段に流入させて凝縮させることにより加熱を行わせ、所定の前記庫内熱交換手段により凝縮された冷媒を、さらに凝縮、膨張を順次行った後、他の前記庫内熱交換手段に流入させて蒸発させることにより冷却を行わせ、前記圧縮手段に戻す加熱冷却経路と、
前記圧縮手段の出口側に設けられ、前記圧縮手段を前記冷却経路又は前記加熱冷却経路の何れかに一方に接続する弁手段と、を備え、
冷却運転時には、
前記弁手段により前記圧縮手段を前記冷却経路に接続し、
加熱冷却運転時には、
前記弁手段により前記圧縮手段を前記加熱冷却経路に接続し、所定の前記庫内熱交換手段による加熱が適温に達すると、前記弁手段により前記圧縮手段を前記冷却経路に接続して他の前記庫内熱交換手段により冷却のみを行わせ、他の前記庫内熱交換手段による冷却が適温に達すると、前記圧縮手段を停止させ、前記弁手段により前記圧縮手段を前記加熱冷却経路に接続する
ことを特徴とする冷却加熱装置の運転方法。
【請求項２】
請求項１に記載の冷却加熱装置の運転方法において、前記弁手段は三方電磁弁であることを特徴とする冷却加熱装置の運転方法。
【発明の詳細な説明】
【技術分野】
【０００１】
本発明は、缶、ビン、パック、ペットボトル等の容器に入れた飲料等の商品を冷媒回路にて冷却または加熱して販売に供する自動販売機等に用いられる冷却加熱装置の運転方法に関する。
【背景技術】
【０００２】
近年の地球温暖化に対して二酸化炭素の排出量削減が課題となっており、自動販売機も省エネ型が開発されている。その１方式として従来は排熱していた凝縮器の熱を庫内の加熱に利用するヒートポンプ方式の自動販売機が注目されている（例えば、特許文献１参照）。
【０００３】
特許文献１に開示された自動販売機は、図７にて示すように、自動販売機の庫内はホット／コールド切替室１z、コールド専用室２z、第二のコールド専用室３zに画成され、ホット／コールド切替室１z内に切替室蒸発器２０zと切替室凝縮器２１zが設置され、コールド専用室２z内に蒸発器５zが設置され、第二のコールド専用室３z内に第二の蒸発器６zが設置され、貯蔵室の外には室外熱交換器７zおよび圧縮機８zが設置されている。
【０００４】
そして、圧縮機８zの吐出部より２分岐する配管１６１ｚが開閉弁Ａ１２z、開閉弁Ｂ１３zとにそれぞれ接続され、開閉弁Ａ１２zから室外熱交換器７zに配管１６２ｚで接続され、開閉弁Ｂ１３zから切替室凝縮器２１zに配管１６５ｚに接続されている。また、切替室凝縮器２１zから抵抗器２２zを介して配管１６２ｚに接続され、室外熱交換器７zから３分岐してそれぞれ膨張弁Ａ９z、膨張弁Ｂ１０z、膨張弁Ｃ１１zを介して切替室蒸発器２０z、蒸発器５z、第二の蒸発器６zに接続されている。そして、切替室蒸発器２０z、蒸発器５z、第二の蒸発器６zから集合して、一方は開閉弁Ｅ２３zを介して切替室凝縮器２１zに接続され、他方は圧縮機８zの吸入部に接続されている。
【０００５】
なお、膨張弁Ａ９z、膨張弁Ｂ１０z、膨張弁Ｃ１１z、抵抗器２２zはそれぞれ通過する冷媒の圧力を低下させるとともに閉塞機能を有したものであり、開閉弁Ａ１２z、開閉弁Ｂ１３z、開閉弁Ｅ２３zはそれぞれ冷媒の流れの通過、遮断を制御するものである。開閉弁Ａ１２z、開閉弁Ｂ１３z、開閉弁Ｅ２３zは, 図８で示されるような通常低コスト型の直動型電磁弁８０が使用されている。直動型電磁弁８０は、同図で示すように電磁弁本体８１の内部に円筒形状のシリンダ８１ａを有し、シリンダ８１ａの側部端面側に入口部８１ｂ、下面に出口部８１ｃが連結しており、出口部８１ｃの上面周縁部には円錐台形状に弁座８１ｄが形成されている。シリンダ８１ａ内部には、弁座８１ｄと当接する球状の弁体８２、弁体８２と持着して重力およびバネ８４で弁体８２を付勢するスプール８３が挿入されている。スプール８３には、鉄製のアーマチャー８５が連結され、アーマチャー８５の上部周縁側にソレノイド８６が取設されている。
【０００６】
かかる構成で、ソレノイド８６が無通電状態のときは、図８（ａ）で示すようにバネ８４とスプール８３の重力にて弁体８２を弁座８１ｄに当接させることにより、入口部８１ｂと出口部８１ｃの連通を封止している。ソレノイド８６が通電状態のときは、図８（ｂ）で示すようにアーマチャー８５がソレノイド８６の磁力により上方へ吸引移動されるので、弁体８２と弁座８１ｄの間に隙間が形成され、入口部８１ｂと出口部８１ｃが連通され、冷媒が通過可能となる。
【０００７】
さて、図７にてホット／コールド切替室１ｚを加温する場合、開閉弁Ａ１２ｚと開閉弁Ｅ２３ｚおよび膨張弁Ａ９ｚを閉止し、開閉弁Ｂ１３ｚと抵抗器２２ｚを開成として、圧縮機８ｚを駆動する。圧縮機８ｚから吐出された冷媒は、切替室凝縮器２１ｚで一部が凝縮し、再度室外熱交換器７ｚで凝縮された後、それぞれ膨張弁Ｂ１０ｚ、膨張弁Ｃ１１ｚで減圧されて、蒸発器５ｚ、第二の蒸発器６ｚへ供給される。そして、蒸発器５ｚ、第二の蒸発器６ｚで蒸発した冷媒が圧縮機８へ還流するヒートポンプ運転が行われる。庫内の加熱温度が適温になり、ヒートポンプ運転を停止するときに、圧縮機８ｚを停止させてから、各開閉弁を閉止することになる。
【先行技術文献】
【特許文献】
【０００８】
【特許文献１】特開２００５−２２７８３３号公報
【発明の概要】
【発明が解決しようとする課題】
【０００９】
しかしながら、この種の自動販売機は、ヒートポンプ運転を停止するときに、すなわち、圧縮機を停止させ開閉弁Ｂ１３ｚを閉止している状態で、配管１６５ｚは高温の切替室凝縮器２１ｚに接続しているので、管内の冷媒は高温高圧に保持され、配管１６１ｚの冷媒は庫外で冷却され圧力が低下をするので、開閉弁Ｂ１３ｚの出口に逆圧が発生をする。逆圧が発生をすると図８（ｂ）と同じ態様で弁体８２を押し上げ、弁座８１ｄとの間に隙間が形成される。隙間が形成されると出口側と入口側が連通をして冷媒が流動すると開閉弁Ｂ１３ｚの出入口間がほぼ同圧となるため、再び弁体８２が弁座８１と当接をして通路を閉鎖する。すると、再び、温度差による逆圧が形成されるので弁体８２を押し上げ、押し戻すという振動が繰りかえされる。この現象は、温度差（圧力差）が小さくなるまで継続し、弁体８２が弁座８１に衝突する際に生じる耳障りな音（以下、異音という）を発生続けるという虞があった。これを防ぐために逆圧に強い大型の電磁弁を使用することが考えられるが、それではコストが上昇をする。
【００１０】
本発明は、上記実情に鑑みて、上記の課題を解決して、電磁弁よりの異音を抑制し、低コストで信頼性の高い圧縮機の運転ができる冷却加熱装置の運転方法を提供することを目的とする。
【課題を解決するための手段】
【００１１】
冷媒を圧縮手段により圧縮し、さらに凝縮、膨張を順次行った後、複数の庫内熱交換手段に流入させて蒸発させることにより冷却を行わせ、前記圧縮手段に戻す冷却経路と、冷媒を、前記圧縮手段により圧縮して所定の前記庫内熱交換手段に流入させて凝縮させることにより加熱を行わせ、所定の前記庫内熱交換手段により凝縮された冷媒を、さらに凝縮、膨張を順次行った後、他の前記庫内熱交換手段に流入させて蒸発させることにより冷却を行わせ、前記圧縮手段に戻す加熱冷却経路と、前記圧縮手段の出口側に設けられ、前記圧縮手段を前記冷却経路又は前記加熱冷却経路の何れかに一方に接続する弁手段と、を備え、冷却運転時には、前記弁手段により前記圧縮手段を前記冷却経路に接続し、加熱冷却運転時には、前記弁手段により前記圧縮手段を前記加熱冷却経路に接続し、所定の前記庫内熱交換手段による加熱が適温に達すると、前記弁手段により前記圧縮手段を前記冷却経路に接続して他の前記庫内熱交換手段により冷却のみを行わせ、他の前記庫内熱交換手段による冷却が適温に達すると、前記圧縮手段を停止させ、前記弁手段により前記圧縮手段を前記加熱冷却経路に接続する運転方法を特徴とする。
【００１２】
また、本発明の請求項２に係る弁手段は三方電磁弁であることを特徴とする。
【発明の効果】
【００１３】
本発明に係る請求項１の冷却加熱装置の運転方法は、冷媒を圧縮手段により圧縮し、さらに凝縮、膨張を順次行った後、複数の庫内熱交換手段に流入させて蒸発させることにより冷却を行わせ、前記圧縮手段に戻す冷却経路と、冷媒を、前記圧縮手段により圧縮して所定の前記庫内熱交換手段に流入させて凝縮させることにより加熱を行わせ、所定の前記庫内熱交換手段により凝縮された冷媒を、さらに凝縮、膨張を順次行った後、他の前記庫内熱交換手段に流入させて蒸発させることにより冷却を行わせ、前記圧縮手段に戻す加熱冷却経路と、前記圧縮手段の出口側に設けられ、前記圧縮手段を前記冷却経路又は前記加熱冷却経路の何れかに一方に接続する弁手段と、を備え、冷却運転時には、前記弁手段により前記圧縮手段を前記冷却経路に接続し、加熱冷却運転時には、前記弁手段により前記圧縮手段を前記加熱冷却経路に接続し、所定の前記庫内熱交換手段による加熱が適温に達すると、前記弁手段により前記圧縮手段を前記冷却経路に接続して他の前記庫内熱交換手段により冷却のみを行わせ、他の前記庫内熱交換手段による冷却が適温に達すると、前記圧縮手段を停止させ、前記弁手段により前記圧縮手段を前記加熱冷却経路に接続することにより、ヒートポンプ運転停止時に第２の庫内熱交換器側の配管が高温高圧で、前記圧縮機からの配管が低温低圧であっても、前記弁手段には常に流通する流路が形成されているので、弁の開閉時に生じる異音の発生を抑制することが出来る。
【００１４】
また、本発明に係る請求項２の弁手段は選択的に流路を切替える三方電磁弁にて接続したことにより、低コストで信頼性の高い圧縮機の運転ができる。
【図面の簡単な説明】
【００１５】
【図１】本発明の実施例に係る自動販売機を示す斜視図である。
【図２】図１に示した自動販売機の断面図である。
【図３】本発明の実施例に係る冷媒回路図である。
【図４】制御装置のブロック図である。
【図５】３室を全て冷却する冷却単独運転における冷媒の流れを示す冷媒回路図である。
【図６】２室を冷却し、１室を加熱するヒートポンプ運転における冷媒の流れを示す冷媒回路図である。
【図７】従来例に係る冷媒回路図である。
【図８】直動型電磁弁の構成図を示し、（ａ）はソレノイドの無通電時、（ｂ）はソレノイドの通電時の状態である。
【発明を実施するための形態】
【００１６】
以下に添付図面を参照して、本発明に係る自動販売機の好適な実施例を詳細に説明する。なお、この実施例によりこの発明が限定されるものではない。
【００１７】
まず、本発明の実施例に係る自動販売機について図１の斜視図、図２の断面図により説明する。これら図において、自動販売機は、前面が開口した直方状の断熱体として形成された本体キャビネット１０と、その前面に設けられた外扉２０および内扉３０と、本体キャビネット１０の内部を上下2段に底板１１にて区画形成し、上部を例えば２つの断熱仕切板４０ｗによって仕切られた３つの独立した商品収納庫４０ａ、４０ｂ、４０ｃと、下部に商品収納庫４０ａ、４０ｂ、４０ｃを冷却もしくは加熱する冷却／加熱ユニット６０を収納する機械室５０と、外扉２０の内側に配設され、商品収納庫４０ａ、４０ｂ、４０ｃ内の温度センサＴａ、Ｔｂ、Ｔｃにより自動販売機の冷却、加熱運転などを制御する制御手段９０と、を有して構成されている。
【００１８】
より詳細に説明すると、外扉２０は、本体キャビネット１０の前面開口を開閉するためのものであり、図には明示していないが、この外扉２０の前面には、販売する商品の見本を展示する商品展示室、販売する商品を選択するための選択ボタン、貨幣を投入するための貨幣投入口、払い出された商品を取り出すための商品取出口２１等々、商品の販売に必要となる構成が配置してある。
【００１９】
内扉３０は、商品収納庫４０ａ、４０ｂ、４０ｃの前面を開閉し、内部の商品を保温するものであり、上下２段に分割され内部に断熱体を有する箱型形状の構造体である。上側の内扉３０ａは、一端を外扉２０に枢軸し、他端を外扉２０に係着して、外扉２０の開放と同時に上側の内扉３０ａを開放させて、商品の補充を容易にするものである。下側の内扉３０ｂは、一端を本体キャビネット１０に枢軸し、他端を本体キャビネット１０に不図示の掛金にて掛着して、外扉２０を開放したときには、閉止した状態であり、商品収納庫４０ａ、４０ｂ、４０ｃ内の冷気もしくは暖気が流出することを防ぎ、メンテナンス時など必要に応じて開放できるものである。
【００２０】
商品収納庫４０ａ、４０ｂ、４０ｃは、缶入り飲料やペットボトル入り飲料等の商品を所望の温度に維持した状態で収容するためのものであり、その収納庫の容量は商品収納庫４０ｃ、４０ａ、４０ｂの順番に大きな態様で配分されている。本実施例は、商品収納庫４０ｂ、４０ｃを冷却専用とし、商品収納庫４０ａを冷却加熱兼用としている。その商品収納庫４０ａ、４０ｂ、４０ｃには、それぞれ、商品を上下方向に沿って並ぶ態様で収納し、販売信号により1個ずつ商品を排出するための商品搬出機構を備えた商品収納ラックＲ、排出された商品Ｓを内扉３０ｂに取設された搬出扉３１を介して外扉の販売口２１へ搬出する商品搬出シュート４２を有している。
【００２１】
冷却／加熱ユニット６０は、機械室５０内に圧縮機６１、凝縮器６２、膨張器（膨張手段）６３、７９、アキュムレータ６９、補助熱交換器７６を取設し、底板１１を跨いで庫内に庫内熱交換器６５ａ、６５ｂ、６５ｃを有して各機器を冷媒配管で接続されることにより構成されている。冷却／加熱ユニット６０は、冷却加熱の運転モードに応じて、庫内に冷風または温風を循環させて商品収納ラックＲ内の商品Ｓを冷却または加熱するものである。
【００２２】
冷却加熱用の圧縮機６１は、冷媒を圧縮して回路内を循環させるためのもので、フロン冷媒使用の場合、冷却運転時には、蒸発温度が約−１０℃、凝縮温度が約４０℃で使用され、加熱運転時には、蒸発温度が約−１０℃、凝縮温度が約７０℃で使用される。
【００２３】
凝縮器６２は、フィンチューブ型の熱交換器であり、冷却運転時に不要な凝縮熱を排出するためのものである。凝縮器６２の後部にはファン６２ｆが取設され、ファン６２ｆは機械室５０の前面開口部より空気を吸入し、凝縮器６２による凝縮熱を吸入するとともに、圧縮機６１の排熱を吸収して、機械室５０の背面開口部へ排気するためのものである。
【００２４】
膨張器６３は、冷却運転時に通過する冷媒を減圧して断熱膨張させるものであり、たとえばキャピラリ、温度膨張弁、電子膨張弁である。
【００２５】
分流器６４は、膨張器６３で断熱膨張させられた冷媒を庫内熱交換器６５ａ、６５ｂ、６５ｃに分配するためのものである。
【００２６】
庫内熱交換器６５ａ、６５ｂ、６５ｃは、商品収納庫４０ａ、４０ｂ、４０ｃを冷却するためのものであり、庫内熱交換器６５ａは、商品収納庫４０ａを加熱する第２の庫内熱交換器を兼用している。また、庫内熱交換器６５ａ、６５ｂ、６５ｃは、各商品収納庫の下部に取設され、風胴６７で囲繞され、その後方にファン６５ｆが取設され、その後方にダクト６７ｄが取設されている。商品収納庫内の冷却と加熱は、庫内熱交換器６５ａ、６５ｂ、６５ｃにより冷却もしくは加熱された空気を商品収納庫内の商品Ｓに送風し、図２中の矢印で示すようにダクト６７ｄより回収することで行われる。
【００２７】
アキュムレータ６９は、庫内熱交換器６５ａ、６５ｂ、６５ｃから蒸発された冷媒を流入し、気液分離させて液冷媒を貯留し、気体冷媒を圧縮機６１に戻すための密閉した容器である。また、アキュムレータ６９は、回路の冷媒循環に余った冷媒を貯留するための容器でもある。
【００２８】
補助熱交換器７６は、フィンチューブ型の熱交換器であり、ヒートポンプ運転時に不要な凝縮熱を排出するためのものである。
【００２９】
膨張器７９は、ヒートポンプ運転時に通過する冷媒を減圧して断熱膨張させるものであり、たとえばキャピラリ、温度膨張弁、電子膨張弁である。
【００３０】
ヒータ６６ａ、６６ｂは庫内熱交換器６５ａ、６５ｂの前方に取設され、商品収納庫４０ａ、４０ｂの加熱を行うものであり、商品収納庫４０ｂの加熱は、ヒータ６６ｂの通電にのみで行われる。
【００３１】
庫内温センサＴａ、Ｔｂ、Ｔｃは、商品収納庫４０ａ、４０ｂ、４０ｃ内の風胴６７の上面に取設され、商品収納庫４０ａ、４０ｂ、４０ｃの庫内温度を検知するためのものである。
【００３２】
三方電磁弁６８は、圧縮機６１から吐出する冷媒を凝縮器６２または庫内熱交換器６５ａに選択的に分岐させるものである。三方電磁弁６８が無通電時は、圧縮機６１から庫内熱交換器６５ａに流れる流路が開通して圧縮機６１から凝縮器６２に流れる流路が閉止され、通電時は、反対に圧縮機６１から凝縮器６２に流れる流路が開通して圧縮機６１から庫内熱交換器６５ａに流れる流路が閉止される。
【００３３】
冷却電磁弁７０ａ，７０ｂ，７０ｃは分流器６４と庫内熱交換器６５ａ、６５ｂ、６５ｃ間に接続され膨張された冷媒の通路を開閉するものであり、出口電磁弁７２ａは、庫内熱交換器６５ａと圧縮機６１と間の蒸発された冷媒の通路を開閉するものである。これらの電磁弁は、すべて図８に示されるような直動型電磁弁の構造である。
【００３４】
冷却／加熱ユニット６０の冷媒回路構成について図３を用いて詳述する。冷媒回路構成は、庫内を冷却のみを行う冷却循環回路６０Ａと庫内のヒートポンプ運転を行う（冷却加熱を同時に行う）加熱冷却循環回路６０Ｂを有している。なお、図中の点線の囲いは、商品収納庫４０ａ、４０ｂ、４０ｃを模式的に示している。
【００３５】
冷却循環回路６０Ａは、圧縮機６１より配管１６１にて三方電磁弁６８に接続され、三方電磁弁６８より配管１６２にて凝縮器６２に接続され、凝縮器６２から膨張器６３を介して分流器６４に接続し、分流器６４より冷却電磁弁７０ａ、７０ｂ、７０ｃを介して庫内熱交換器６５ａ、６５ｂ、６５ｃに接続されている。なお、冷却電磁弁７０ｃと庫内熱交換器６５ｃとの間には逆止弁７１ｃが接続されている。冷却循環回路６０Ａは、さらに、庫内熱交換器６５ａ、６５ｂからの配管と、庫内熱交換器６５ｃからの出口電磁弁７２ａを介した配管とを集合器６７にて集合した後アキュムレータ６９を経由して圧縮機６１に戻る配管で構成されている。
【００３６】
一方、加熱冷却循環回路６０Ｂには、冷却循環回路６０Ａに加えて、三方電磁弁６８より、逆止弁７１ｂと庫内熱交換器６５ａとの間を結合させる配管１６５と、庫内熱交換器６５ａと逆止弁７１を介して結合し補助熱交換器７６と接続する配管と、補助熱交換器７６より膨張器７９を経由して分配器６４へ接続する配管８４とが設けられている。
【００３７】
しかして、加熱冷却循環回路６０Ｂは、圧縮機６１から三方電磁弁６８を介し庫内熱交換器６５ａに接続され、庫内熱交換器６５ａから逆止弁７１を介して補助熱交換器７６、膨張器７９を経由して分配器６４に接続され、分流器６４から冷却電磁弁７０ｂ、７０ｃを介して庫内熱交換器６５ｂ、６５ｃに接続され、集合器６７、アキュムレータ６９を経由して圧縮機６１に戻る回路である。
【００３８】
冷媒は、臨界圧力内で使用する冷媒、例えばフロン冷媒でＲ１３４ａを使用している。また、臨界圧力外で使用する冷媒、例えば二酸化炭素冷媒でもよい。
制御手段９０は、商品収納庫４０ａ、４０ｂ、４０ｃを冷却加熱の運転モードにより冷却もしくは加熱の制御をするものである。図４に示すように内部にＣＰＵ、メモリを有し、運転モード設定ＳＷ９１の設定により決まる冷却加熱の運転モードに応じて冷媒回路の電磁弁開閉などの制御を行う。運転モードは、商品収納庫４０ａ、４０ｂ、４０ｃの冷却もしくは加熱の運転をＣ、Ｈで示すものであり、商品収納庫の正面左側から（４０ａ、４０ｂ、４０ｃ）順に、例えば、すべてが冷却の場合にはＣＣＣモード、左の商品収納庫のみが加熱の場合にはＨＣＣモードなどと記す。また、制御手段９０は、庫内温センサＴａ、Ｔｂ、Ｔｃにより検知した温度により、圧縮機６１、三方電磁弁６８、冷却電磁弁７０ａ、７０ｂ、７０ｃ、出口電磁弁７２ａなどを制御し、庫内を一定温度範囲内でＯＮ・ＯＦＦ制御するサーモサイクル運転により庫内温度を適温に維持する。
【００３９】
かかる構成で運転モード設定ＳＷ９１の操作により運転モードをＣＣＣモードに設定すると、制御手段９０は三方電磁弁６８を通電して配管１６１と配管１６２とを開通させ、冷却電磁弁７０ａ、７０ｂ、７０ｃ、出口電磁弁７２ａを開成する。図５の太線で示すように圧縮機６１で圧縮された高温冷媒は、凝縮器６２にて凝縮され液体となり、膨張器６３で膨張して低温の気液二相流となり、分流器６４で三方に分流された後に庫内熱交換器６５ａ、６５ｂ、６５ｃに流入する。流入した冷媒は、庫内熱交換器６５ａ、６５ｂ、６５ｃで蒸発し、商品収納庫４０ａ、４０ｂ、４０ｃを冷却し、蒸発した冷媒は集合器６７で集合して液冷媒を貯留するアキュムレータ６９を介して気液分離させて圧縮機６１に戻る。なお、この冷却は、制御装置９０にて庫内温度センサＴａ、Ｔｂ、Ｔｃによるサーモサイクル運転により庫内温度が適温に制御される。
【００４０】
次に、運転モード設定ＳＷ９１の操作により運転モードを左側の１室を加熱し、中側、右側の２室を冷却するＨＣＣモードに設定すると、制御手段９０は、三方電磁弁６８を無通電として配管１６１と配管１６５とを開通させ、冷却電磁弁７０ａ、出口電磁弁７２ａを閉止し、冷却電磁弁７０ｂ、７０ｃ開成する。図６の太線で示すように圧縮機６１で圧縮された高温冷媒は、三方電磁弁６８より配管１６５を通過して庫内熱交換器６５ａに流入する。庫内熱交換器６５ａに流入した冷媒は凝縮され、商品収納庫４０ａを加熱し、逆止弁７１を介して補助熱交換器７６でさらに凝縮して膨張器７９に流入する。膨張器７９に流入した冷媒は、膨張して低温の気液二相流となり分流器６４、冷却電磁弁７０ｂ、７０ｃを経由して庫内熱交換器６５ｂ、６５ｃに流入する。庫内熱交換器６５ｂ、６５ｃに流入した冷媒は、庫内熱交換器６５ｂ、６５ｃで蒸発して商品収納庫４０ｂ、４０ｃを冷却し、集合器６７、アキュムレータ６９を経由して圧縮機６１に戻る。このヒートポンプ運転も前述のようにサーモサイクル運転で庫内が適温に維持される。
【００４１】
やがて、商品収納庫４０ａが適温に達すると、庫内熱交換器６５ｂ、６５ｃのみの２室の冷却運転に入り、三方電磁弁６８を通電して配管１６１と配管１６５を閉止させて配管１６１と配管１６２を開通させ、逆止弁７１、膨脹器７９を閉止する。そして、商品収納庫４０ｂ、４０ｃが適温に達すると、圧縮機６１を停止して、三方電磁弁６８を無通電にして冷却運転を休止する。
【００４２】
圧縮機６１の停止中に庫内熱交換器６５ａ側の配管１６５が高温高圧で圧縮機６１からの配管１６１が冷却されて低温低圧となっても、三方電磁弁６８には常に流通する流路が形成されているので、三方電磁弁６８から異音の発生を抑制することが出来る。
【００４３】
また、凝縮させて加熱する庫内熱交換器と蒸発させて冷却する庫内熱交換器と兼用したことにより、電磁弁よりの異音を抑制し、低コストで信頼性の高い圧縮機の運転ができる。
【産業上の利用可能性】
【００４４】
以上のように、本発明に係る冷却加熱装置の運転方法は、缶、ビン、パック、ペットボトル等の容器に入れた飲料等の商品を冷却または加熱する自動販売機等に適している。
【符号の説明】
【００４５】
１０ 本体キャビネット
２０ 外扉
３０ 内扉
４０ａ、４０ｂ、４０ｃ 商品収納庫
６０ 冷却／加熱ユニット
６１ 圧縮機
６２ 凝縮器
６３、７９ 膨張器
６４ 分流器
６５ａ、６５ｂ、６５ｃ 庫内熱交換器
６８ 三方電磁弁
７０ａ、７０ｂ、７０ｃ 冷却電磁弁
７２ａ 出口電磁弁
８０ 直動型電磁弁
８１ａ 弁座
８２ 弁体
８３ スプール
８４ バネ
９０ 制御装置
９１ 運転モード選択ＳＷ
１６１、１６２、１６８ 配管
【図１】
0005569634.tif 000002
【図２】
0005569634.tif 000003
【図３】
0005569634.tif 000004
【図４】
0005569634.tif 000005
【図５】
0005569634.tif 000006
【図６】
0005569634.tif 000007
【図７】
0005569634.tif 000008
【図８】
0005569634.tif 000009